(57)【要約】【課題】接眼ファインダの表示が開始されるタイミングを適切に制御して、ユーザの使用感を向上する。【解決手段】撮像装置は、本体部との位置関係を変更可能な第１の表示部と、接眼ファインダと、前記接眼ファインダへの物体の近接を検出する近接検出手段と、前記第１の表示部の位置が、前記本体部に前記第１の表示部の表示面が対向しない状態で格納されている第１の位置である場合は、前記近接検出手段で第１の距離よりも物体が近接したことを検出した場合に前記接眼ファインダ内の第２の表示部への表示を開始するように制御し、前記本体部に前記第１の表示部の表示面が対向する状態で格納されている第２の位置である場合は、前記近接検出手段で第１の距離よりも遠い第２の距離よりも物体が近接したことを検出した場合に前記接眼ファインダ内の前記第２の表示部への表示を開始するように制御する制御手段と、を有する。【選択図】図２
2018022115.tif 000002
【特許請求の範囲】
【請求項１】
本体部との位置関係を変更可能な第１の表示部と、
接眼ファインダと、
前記接眼ファインダへの物体の近接を検出する近接検出手段と、
前記第１の表示部の位置が、前記本体部に前記第１の表示部の表示面が対向しない状態で格納されている第１の位置である場合は、前記近接検出手段で第１の距離よりも物体が近接したことを検出した場合に前記接眼ファインダ内の第２の表示部への表示を開始するように制御し、前記本体部に前記第１の表示部の表示面が対向する状態で格納されている第２の位置である場合は、前記近接検出手段で前記第１の距離よりも遠い第２の距離よりも物体が近接したことを検出した場合に前記接眼ファインダ内の前記第２の表示部への表示を開始するように制御する制御手段と、を有することを特徴とする撮像装置。
【請求項２】
前記近接検出手段が物体の近接を検出するための閾値を設定する設定手段をさらに有し、
前記制御手段は、前記閾値を変更することで前記第１の表示部と前記第２の表示部の表示を制御することを特徴とする請求項１に記載の撮像装置。
【請求項３】
前記本体部に対する前記第１の表示部の位置を検出する位置検出手段をさらに有することを特徴とする請求項１または２に記載の撮像装置。
【請求項４】
画像を撮像する撮像手段をさらに有し、
前記第１の表示部が前記第２の位置である場合、前記物体が前記第１の距離より遠くかつ前記第２の距離より近い間は、前記制御手段は、前記第１の位置の場合よりも低いフレームレートで画像を撮像するように前記撮像手段を制御することを特徴とする請求項１から３のいずれか１項に記載の撮像装置。
【請求項５】
前記第１の表示部が前記第２の位置の場合、前記物体が前記第１の距離より遠くかつ前記第２の距離より近い間は、前記制御手段は、前記第１の位置の場合よりも低いフレームレートで画像を表示するように制御することを特徴とする請求項１から４のいずれか１項に記載の撮像装置。
【請求項６】
前記第１の表示部が前記第２の位置の場合に、前記物体が前記第１の距離より近づいたならば、前記制御手段は、前記第１の表示部が前記第１の位置の場合と同じフレームレートに設定することを特徴とする請求項１から５のいずれか１項に記載の撮像装置。
【請求項７】
前記本体部に前記第１の表示部が格納されていない状態であって前記第１の表示部の表示面が撮影者側に向いている第３の位置である場合は、前記設定手段は、前記閾値を前記第１の位置の場合よりも近い距離に設定することを特徴とする請求項２に記載の撮像装置。
【請求項８】
前記本体部に前記第１の表示部が格納されていない状態であって前記第１の表示部の表示面が撮影者側に向いていない第４の位置である場合は、前記設定手段は、前記閾値を前記第１の位置の場合よりも近い距離に設定することを特徴とする請求項２に記載の撮像装置。
【請求項９】
前記本体部に前記第１の表示部が格納されていない状態であって前記第１の表示部の表示面が撮影者側に向いていない第４の位置の場合は、前記設定手段は、前記閾値を前記第３の位置の場合よりも近い距離に設定することを特徴とする請求項７に記載の撮像装置。
【請求項１０】
前記本体部に前記第１の表示部が格納されていない状態であって前記第１の表示部の表示面が撮影者側に向いていない第４の位置の場合は、前記設定手段は、前記閾値を前記第１の位置の場合よりも遠い距離に設定することを特徴とする請求項２に記載の撮像装置。
【請求項１１】
本体部との位置関係を変更可能な第１の表示部と、接眼ファインダと、前記接眼ファインダへの物体の近接を検出する近接検出手段と、を有する撮像装置の制御方法であって、
前記第１の表示部の位置が、前記本体部に前記第１の表示部の表示面が対向しない状態で格納されている第１の位置である場合は、前記近接検出手段で第１の距離よりも物体が近接したことを検出した場合に前記接眼ファインダ内の第２の表示部への表示を開始するように制御し、
前記本体部に前記第１の表示部の表示面が対向する状態で格納されている第２の位置である場合は、前記近接検出手段で第１の距離よりも遠い第２の距離よりも物体が近接したことを検出した場合に前記接眼ファインダ内の前記第２の表示部への表示を開始するように制御することを特徴とする撮像装置の制御方法。
【請求項１２】
コンピュータを、請求項１から１０のいずれか１項に記載された撮像装置の各手段として機能させるためのプログラム。
【請求項１３】
コンピュータを、請求項１から１０のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置における接眼ファインダの表示制御に関する。
【背景技術】
【０００２】
デジタルカメラなどの撮像装置に搭載される電子ビューファインダとして、カメラ本体部の背面に設けられたバリアングル表示部に加えて、ユーザが接眼して覗き込む接眼ファインダを搭載するものがある。この場合、接眼ファインダに接眼検知部を設け、ユーザの接眼が検知されると、接眼ファインダの表示をオンし、バリアングル表示部の表示をオフする制御が行われている。一方で、ユーザの接眼が検出されていないときには接眼ファインダの表示をオフし、バリアングル表示部をオンする制御が行われている。これにより、２つのモニタ手段が接眼の有無に応じて自動で切り替えられ、両方同時に表示している場合に比べて電力消費が抑えられる。
【０００３】
しかしながら、このような表示制御を行う場合、ユーザの指やカメラのストラップ等が接眼検知部の近くにあると、接眼検知部が誤って接眼と検出してしまい、意図していないタイミングでモニタ手段が切り替えられてしまう場合がある。特許文献１では、バリアングル表示部がカメラ本体部に格納された状態と収納されていない状態とで接眼検知センサの検知距離を変更することで、指やストラップ等を接眼と誤検出してモニタ手段が切り替わらないようにする技術が記載されている。
【先行技術文献】
【特許文献】
【０００４】
【特許文献１】特許第５７１２３６０号公報
【発明の概要】
【発明が解決しようとする課題】
【０００５】
しかしながら、上記特許文献１において、接眼検知のタイミングによっては、接眼ファインダの表示が開始されるタイミングが遅れたり、バリアングル表示部の表示がオフされるタイミングが早すぎたりする場合があり、ユーザの使用感が低下してしまう。
【０００６】
本発明は、上記課題に鑑みてなされ、その目的は、接眼ファインダの表示が開始されるタイミングを適切に制御して、ユーザの使用感を向上する技術を実現することである。
【課題を解決するための手段】
【０００７】
上記課題を解決し、目的を達成するために、本発明の撮像装置は、本体部との位置関係を変更可能な第１の表示部と、接眼ファインダと、前記接眼ファインダへの物体の近接を検出する近接検出手段と、前記第１の表示部の位置が、前記本体部に前記第１の表示部の表示面が対向しない状態で格納されている第１の位置である場合は、前記近接検出手段で第１の距離よりも物体が近接したことを検出した場合に前記接眼ファインダ内の第２の表示部への表示を開始するように制御し、前記本体部に前記第１の表示部の表示面が対向する状態で格納されている第２の位置である場合は、前記近接検出手段で第１の距離よりも遠い第２の距離よりも物体が近接したことを検出した場合に前記接眼ファインダ内の前記第２の表示部への表示を開始するように制御する制御手段と、を有する。
【発明の効果】
【０００８】
本発明によれば、接眼ファインダの表示が開始されるタイミングを適切に制御して、ユーザの使用感を向上することができる。
【図面の簡単な説明】
【０００９】
【図１】本実施形態のデジタルカメラの構成を示すブロック図。
【図２】本実施形態の表示制御処理を示すフローチャート。
【図３】本実施形態のバリアングル表示部の姿勢を例示する図。
【図４】本実施形態の接眼検出閾値の設定例を示す図。
【発明を実施するための形態】
【００１０】
以下に、本発明を実施するための形態について詳細に説明する。本実施形態では、撮像装置を撮像装置であるデジタル一眼レフカメラ（以下、デジタルカメラ）に適用した例について説明する。
【００１１】
＜装置構成＞図１を参照して、本実施形態のデジタルカメラの構成について説明する。
【００１２】
図１において、本実施形態のカメラシステムは、カメラ本体部１００とレンズ部２００を含む。
【００１３】
まず、カメラ本体部１００の構成を説明する。
【００１４】
カメラマイコン１０１は、後述するメモリ１０２に格納されたプログラムを実行することで、カメラシステム全体を制御するカメラ制御用マイクロコンピュータである。カメラマイコン１０１は例えば、ＣＰＵ、ＲＯＭ、ＲＡＭ、入出力制御回路等を含む。
【００１５】
メモリ１０２は、電気的に消去・記憶可能な不揮発性メモリであり、例えばＥＥＰＲＯＭ等が用いられる。メモリ１０２には、カメラマイコン１０１の動作用の定数、プログラム等が記憶される。ここでいう、プログラムとは、本実施形態にて後述するＥＶＦ制御処理のフローチャートを実行するためのプログラムのことである。
【００１６】
イメージセンサ１０３は、レンズ部２００によって結像された被写体の光学像を電気信号に変換する、赤外カットフィルタやローパスフィルタ等を含むＣＣＤやＣＭＯＳ等で構成される撮像素子である。
【００１７】
シャッター１０４は、撮影時以外ではレンズ部２００を通過した光束がイメージセンサ１０３に入射しないように遮光する閉位置と、撮影時には光束をイメージセンサ１０３に導く開位置との間で動作する。
【００１８】
バリアングル表示部１０５は、カメラ本体部１００との位置関係を変更可能に、カメラ本体部１００の背面（レンズ部２００とは反対側）に設けられた有機ＥＬや液晶パネル等である。バリアングル表示部１０５は、ユーザが自由にカメラ本体部１００に対して表示面の方向や角度を変更したり、回転させることができる。バリアングル表示部１０５は、例えば図３（ａ）〜（ｄ）に示すような状態に変化させることができる。
【００１９】
図３（ａ）は、バリアングル表示部１０５の背面（表示面とは反対側）がカメラ本体部１００の背面に対向するように格納された状態（第１の位置）であり、ユーザがカメラ本体部１００の背面からバリアングル表示部１０５の表示面をモニタすることができる状態である（以下、反転閉位置）。
【００２０】
図３（ｂ）は、バリアングル表示部１０５の表示面がカメラ本体部１００の背面に対向するように格納された状態（第２の位置）であり、ユーザがカメラ本体部１００の背面からバリアングル表示部１０５の表示面をモニタすることができない状態である（以下、閉位置）。
【００２１】
図３（ｃ）は、バリアングル表示部１０５がカメラ本体部１００の背面に格納されていない状態（第３の位置）で、バリアングル表示部１０５の背面がカメラ本体部１００の背面側（撮影者側）に向くように回動され、撮影者がカメラ本体部１００の背面側からバリアングル表示部１０５の表示面をモニタすることができる状態である（以下、開位置）。
【００２２】
図３（ｄ）は、バリアングル表示部１０５がカメラ本体部１００の背面に格納されていない状態（第４の位置）で、バリアングル表示部１０５の表示面がカメラ本体部１００の背面側（被写体側）に向くように回動され、撮影者がカメラ本体部１００の背面側からバリアングル表示部１０５の表示面をモニタすることができない状態である（以下、反転開位置）。
【００２３】
姿勢・位置検出部１０６は、バリアングル表示部１０５の姿勢・位置（回転角度や位置）を検出するセンサであり、例えば磁力センサなどが用いられる。姿勢・位置検出部１０６を複数箇所に設置することによって、少なくとも図３の（ａ）〜（ｄ）の状態を検出することができる。なお、バリアングル表示部１０５の姿勢（位置）は図３の（ａ）〜（ｄ）の４つの状態だけでなく、図３（ａ）〜（ｄ）に至るまでの途中の状態も存在するが、このような途中の状態も、図３（ａ）〜（ｄ）のいずれかと同じ状態として取り扱うようにする。
【００２４】
接眼ファインダ１０７は、接眼ファインダ内に電子ビューファインダ（ＥＶＦ）が設けられた表示部である。接眼ファインダ１０７は、再生映像や撮影映像を表示可能な有機ＥＬや液晶パネルなどを備え、ユーザは接眼ファインダ１０７を覗き込むことで再生映像や撮影映像をモニタすることができる。
【００２５】
接眼検知部１０８は、接眼ファインダ１０７に対して人物の目などの物体が近接したことを検出する近接検出センサであり、例えば赤外線センサなどが用いられる。接眼検知部１０８が赤外線センサの場合、接眼ファインダ１０７に物体が接近すると、センサの投光部から投光した赤外光が物体により反射し、その反射光量を測定することで、物体までの距離（接眼距離）を検出することができる。
【００２６】
次に、レンズ部２００の構成を説明する。
【００２７】
レンズ部２００は、カメラ本体部１００に対して着脱可能又は固定されている。レンズ部２００は、レンズマイコン２０１と、フォーカスレンズ、絞り、ズームレンズおよびこれらの駆動部を含むレンズ群２０２とを備え、レンズマイコン２０１が各部の動作を所定のプログラムに従って制御する。レンズマイコン２０１はカメラマイコン１０１と通信可能に接続されており、カメラマイコン１０１をホストとしてデータの交換やコマンドの伝達を相互に行うレンズ制御用マイクロコンピュータである。レンズマイコン２０１は例えば、ＣＰＵ、ＲＯＭ、ＲＡＭ、入出力制御回路等を含む。
【００２８】
＜表示制御＞次に、図２を参照して、本実施形態のデジタルカメラによるバリアングル表示部１０５と接眼ファインダ１０７の表示制御処理について説明する。
【００２９】
なお、図２の処理は、メモリ１０２に格納されたプログラムをカメラマイコン１０１のワークメモリに展開してカメラマイコン１０１が実行することで実現する。
【００３０】
Ｓ２０１では、カメラマイコン１０１は、カメラ本体部１００の電源をオンする。
【００３１】
Ｓ２０２では、カメラマイコン１０１は、姿勢・位置検出部１０６から出力される検出値に基づき、バリアングル表示部１０５の姿勢（位置）（図３（ａ）〜（ｄ）のいずれかの状態）を検出する。
【００３２】
Ｓ２０３では、カメラマイコン１０１は、Ｓ２０２で取得したバリアングル表示部１０５の姿勢（位置）に応じて接眼検知部１０８の検出閾値Ｔｈを設定する。
【００３３】
ここで、図４を用いて、接眼検知部１０８の検出閾値の設定方法を説明する。Ｓ２０２での検出結果からバリアングル表示部１０５の姿勢が図３（ａ）の反転閉位置であった場合は、接眼検知部１０８の検出閾値Ｔｈ（接眼検知距離）は図４（ａ）の第１の閾値Ｔｈ１に設定される。また、反転閉位置であった場合は、ユーザが接眼ファインダ１０７により被写体などをモニタする場合と、バリアングル表示部１０５により被写体などをモニタする場合のいずれかである可能性が高い。したがって、第１の閾値Ｔｈ１を決定する際には両方のケースの可能性を考慮しつつ、バランスを重視して決定する。この場合、第１の閾値Ｔｈ１は、例えば１０ｃｍ程度に設定される。
【００３４】
また、バリアングル表示部１０５の姿勢が図３（ｂ）の閉位置であった場合は、接眼検知部１０８の検出閾値Ｔｈは図４（ｂ）の第２の閾値Ｔｈ２に設定される。バリアングル表示部１０５が閉位置の場合、ユーザはバリアングル表示部１０５をモニタすることができないため、接眼ファインダ１０７で被写体などをモニタする可能性が極めて高い。そこで、第２の閾値Ｔｈ２を第１の閾値Ｔｈ１より大きい値、すなわち、第１の閾値Ｔｈ１と比べてカメラから遠い値に設定する。これにより、第１の閾値Ｔｈ１の場合よりも早く接眼が検出されるので、接眼ファインダ１０７の表示がオンされるタイミングを早めることができる。第１の閾値Ｔｈ１との相対的な位置関係がわかりやすいように図４（ｂ）には第１の閾値Ｔｈ１の位置も図示されている。第２の閾値Ｔｈ２は、例えば２０ｃｍ程度に設定される。
【００３５】
さらに、バリアングル表示部１０５の姿勢が図３（ｃ）の開位置であった場合は、接眼検知部１０８の検出閾値Ｔｈは図４（ｃ）の第３の閾値Ｔｈ３に設定される。バリアングル表示部１０５が開位置の状態は、一般的にハイアングルやローアングルでの撮影に使用されるため、図３（ｂ）の閉位置や図３（ａ）の反転閉位置と比べて接眼ファインダ１０７をモニタとして使用する可能性が低い。そこで、第３の閾値Ｔｈ３を第１の閾値Ｔｈ１より小さい値、すなわち、第１の閾値Ｔｈ１と比べてカメラに近い値に設定する。これにより、第１の閾値Ｔｈ１の場合よりも接眼が遅く検出されるので、ユーザの腕やカメラのストラップ等の誤検出によるモニタ手段の切り替わりを防ぐことができる。第１の閾値Ｔｈ１との相対的な位置関係がわかりやすいように図４（ｃ）には第１の閾値Ｔｈ１の位置も図示されている。第３の閾値Ｔｈ３は、例えば７．５ｃｍ程度に設定される。
【００３６】
さらにまた、バリアングル表示部１０５の姿勢が図３（ｄ）の反転開位置であった場合は、接眼検知部１０８の検出閾値Ｔｈは図３（ｄ）の第４の閾値Ｔｈ４に設定される。バリアングル表示部１０５が反転開位置の状態は、一般的に自分撮りなどに使用されるため、図３（ａ）の反転閉位置や図３（ｃ）の開位置と比べてさらに接眼ファインダ１０７をモニタ手段として使用される可能性が低い。そこで、第４の閾値Ｔｈ４を第１の閾値Ｔｈ１や第３の閾値Ｔｈ３より小さい値、すなわち、第１の閾値Ｔｈ１や第３の閾値Ｔｈ３と比べてカメラにさらに近い値に設定する。これにより、第３の閾値Ｔｈ３の場合よりもさらに接眼が遅く検知されるので、自分撮りを行うユーザの腕やカメラのストラップ等の誤検出によるモニタ手段の切り替わりを防ぐことができる。第１の閾値Ｔｈ１や第３の閾値Ｔｈ３との相対的な位置関係がわかりやすいように図４（ｄ）には第１の閾値Ｔｈ１や第３の閾値Ｔｈ３の位置も図示されている。第４の閾値Ｔｈ４は、例えば５ｃｍ程度に設定される。
【００３７】
バリアングル表示部１０５が図３（ｄ）の反転開位置の場合は、上述した自分撮りのユースケース以外に、バリアングル表示部１０５で被写体に撮影画像を見せつつ、撮影者は接眼ファインダ１０７を覗くというユースケースがあり得る。この場合には、第４の閾値Ｔｈ４を第１の閾値Ｔｈ１よりも大きい値、すなわち、第１の閾値Ｔｈ１と比べてカメラから遠い値に設定し、第１の閾値Ｔｈ１の場合よりも早く接眼が検出されるようにしても良い。この場合、第４の閾値Ｔｈ４は、例えば１５ｃｍ程度に設定される。
【００３８】
以上のように、Ｓ２０３で接眼検知部１０８の検出閾値Ｔｈを設定し、Ｓ２０４ではバリアングル表示部１０５の姿勢が閉位置であるか否かを判定する。これは、Ｓ２０２で取得したバリアングル表示部１０５の姿勢（位置）情報（姿勢・位置検出部１０６から出力される検出値）を用いれば良い。Ｓ２０４でバリアングル表示部１０５の姿勢が閉位置ではない場合はＳ２０５へ進む。
【００３９】
Ｓ２０５では、カメラマイコン１０１は、接眼検知部１０８により検出されたユーザの接眼距離が第１の閾値Ｔｈ１（図３（ａ）の反転閉位置の場合）より近いか否かを判定する。なお、本例では、バリアングル表示部１０５が図３（ａ）の反転閉位置であることを前提としている。Ｓ２０５において、バリアングル表示部１０５の姿勢が図３（ｃ）の開位置の場合は、ユーザの接眼距離が第３の閾値Ｔｈ３より近いか否かを判定し、図３（ｄ）の反転開位置の場合は、第４の閾値Ｔｈ４より近いか否かを判定すれば良い。
【００４０】
Ｓ２０５で接眼距離が第１の閾値Ｔｈ１より近い場合はＳ２０６へ進み、第１の閾値Ｔｈ１より遠い場合はＳ２０７へ進む。
【００４１】
Ｓ２０６では、カメラマイコン１０１は、バリアングル表示部１０５をオフし、接眼ファインダ１０７の表示をオンする。この場合、接眼ファインダ１０７の表示フレームレートを、例えば１２０ｆｐｓで駆動すると良い。
【００４２】
Ｓ２０７では、カメラマイコン１０１は、接眼ファインダ１０７をオフし、バリアングル表示部１０５の表示をオンする。
【００４３】
以上が、バリアングル表示部１０５の姿勢が図３（ｂ）の閉位置ではない場合の動作例である。
【００４４】
一方、Ｓ２０４でバリアングル表示部１０５の姿勢が図３（ｂ）の閉位置であった場合はＳ２０８へ進む。
【００４５】
Ｓ２０８では、カメラマイコン１０１は、バリアングル表示部１０５の姿勢が図３（ｂ）の閉位置であり、バリアングル表示部１０５に表示される情報がユーザから見えないため、電力消費を抑える観点からバリアングル表示部１０５をオフする。
【００４６】
Ｓ２０９では、カメラマイコン１０１は、接眼検知部１０８により検出されたユーザの接眼距離が第１の閾値Ｔｈ１（図３（ａ）の反転開位置の場合）より近いか否かを判定する。Ｓ２０５で接眼距離が第１の閾値Ｔｈ１より近い場合はＳ２１０へ進み、第１の閾値Ｔｈ１より遠い場合はＳ２１１へ進む。
【００４７】
Ｓ２１０では、カメラマイコン１０１は、接眼ファインダ１０７の表示をオンし、接眼ファインダ１０７の表示フレームレートを、例えば１２０ｆｐｓで駆動する。
【００４８】
Ｓ２１１では、カメラマイコン１０１は、接眼検知部１０８により検出されたユーザの接眼距離が第２の閾値Ｔｈ２（図３（ｂ）の閉位置の場合）より近いか否かを判定する。Ｓ２１１で接眼距離が第２の閾値Ｔｈ２より近い場合はＳ２１２へ進み、第２の閾値Ｔｈ２より遠い場合はＳ２１３へ進む。
【００４９】
Ｓ２１２では、カメラマイコン１０１は、接眼ファインダ１０７の表示をオンし、接眼ファインダ１０７の表示フレームレートを、例えば６０ｆｐｓで駆動する。このように、接眼距離が第１の閾値Ｔｈ１より遠く、かつ第２の閾値Ｔｈ２より近い場合は、ユーザが接眼しようとしている途中の状態である可能性が高い。この場合は、接眼ファインダ１０７の表示フレームレートを６０ｆｐｓ程度に低下させてもユーザに違和感を与える可能性が小さく、フレームレートを低下させることで消費電力を抑えることができる。なお、Ｓ２１２では、接眼ファインダ１０７の表示フレームレートだけでなく、イメージセンサ１０３が画像（ライブビュー画像）を撮像するときのフレームレートもＳ２１０の状態と比べて低下させるようにしても良い。Ｓ２１２のように、接眼距離が第２の閾値Ｔｈ２より近い状態で接眼ファインダ１０７の表示を開始しておけば、Ｓ２１０のように第１の閾値Ｔｈ１で接眼ファインダ１０７の表示を開始する場合と比べて表示までのタイムラグをユーザが感じにくくなる。
【００５０】
Ｓ２１３では、カメラマイコン１０１は、接眼ファインダ１０７をオフする。そして、Ｓ２０６、Ｓ２０７、Ｓ２１０、Ｓ２１２、Ｓ２１３のいずれかの処理が終了した場合はＳ２１４へ進む。Ｓ２１４では、カメラマイコン１０１は、接眼距離が変化したか否かを監視する。Ｓ２１４で接眼距離が変化した場合はＳ２０４へ戻り、Ｓ２０４以降の処理を再度行う。Ｓ２１４で接眼距離が変化していない場合にはＳ２１５へ進む。
【００５１】
Ｓ２１５では、カメラマイコン１０１は、バリアングル表示部１０５の姿勢が変化したか否かを監視する。Ｓ２１５でバリアングル表示部１０５の姿勢が変化した場合はＳ２０２へ戻り、Ｓ２０２以降の処理を再度行う。Ｓ２１５でバリアングル表示部１０５の姿勢が変化していない場合はＳ２１６へ進む。
【００５２】
Ｓ２１６では、カメラマイコン１０１は、カメラの電源がオフされたか否かを判定する。Ｓ２１６でカメラの電源がオフされていない場合はＳ２１４へ戻り、接眼距離の変化とバリアングル表示部１０５の姿勢の変化を監視し続ける。Ｓ２１６でカメラの電源がオフされた場合には処理を終了する。
【００５３】
以上のように、本実施形態によれば、接眼ファインダ１０７の表示が開始されるタイミングをバリアングル表示部１０５の姿勢の変化に応じて適切に制御することで、接眼ファインダ１０７の表示が開始されるタイミングが遅れたり、バリアングル表示部１０５の表示がオフされるタイミングが早すぎたりといった状況を改善し、ユーザの使用感を向上することができる。
【００５４】
なお、カメラマイコン１０１が行うものとして説明した上述の各種制御は、１つのハードウェアが行ってもよいし、複数のハードウェアが処理を分担することで、装置全体の制御を行ってもよい。
【００５５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５６】
また、上述した実施形態においては、本発明を、カメラ本体部との位置関係が変更可能なバリアングル表示部に加えて接眼ファインダ内に設けられた電子ビューファインダを搭載する撮像装置に適用した場合を例にして説明したが、本発明はこの例に限定されず、複数箇所にモニタ手段を有し、各モニタ手段の表示のオン、オフを切り替えられる装置であれば適用可能である。すなわち、本発明は、複数箇所にモニタ手段を有する、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、タブレット端末、スマートフォン、投影装置、ディスプレイを備える家電装置や車載装置、医療機器などに適用可能である。
【００５７】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５８】
１００…カメラ本体部、１０１…カメラマイコン、１０３…イメージセンサ、１０５…バリアングル表示部、１０６…姿勢・位置検出部、１０７…接眼ファインダ、１０８…接眼検知部、２００…レンズ部、２０１…レンズマイコン
【図１】
2018022115.tif 000003
【図２】
2018022115.tif 000004
【図３】
2018022115.tif 000005
【図４】
2018022115.tif 000006